(57)【要約】【課題】特定のコンテンツに関連するコンテンツを容易に取得することが可能な情報表示装置、映像表示システムおよび制御プログラムを提供する。【解決手段】複数の表示要素の少なくとも１つの表示態様を変化させるための表示態様変化指数と一致する関連度または表示態様変化指数に最も近い関連度に対応する表示要素を、他の表示要素よりも強調表示する。複数の表示要素の各々は、特定のコンテンツに関連するコンテンツを取得するための取得情報が関連付けられている。情報表示装置は、指示入力に応じて、選択された表示要素に関連付けられた取得情報に基づいて、特定のコンテンツに関連するコンテンツをネットワークから取得する。【選択図】図１６
2008035063.tif 000002
【特許請求の範囲】
【請求項１】
複数の表示要素を表示する表示手段を備え、
前記複数の表示要素の各々は、特定のコンテンツに対する関連度が対応づけられており、
前記複数の表示要素の各々は、前記特定のコンテンツに関連するコンテンツを取得するための取得情報が関連付けられており、
前記複数の表示要素にそれぞれ対応する複数の関連度のうち、前記複数の表示要素の少なくとも１つの表示態様を変化させるための表示態様変化指数と一致する関連度または前記表示態様変化指数に最も近い関連度に対応する表示要素を、他の表示要素よりも強調表示する表示制御手段と、
指示入力に応じて、前記複数の表示要素のいずれかを選択する選択手段と、
前記選択手段により選択された表示要素に関連付けられた取得情報に基づいて、前記特定のコンテンツに関連するコンテンツをネットワークから取得する取得手段とをさらに備える、情報表示装置。
【請求項２】
前記表示制御手段は、前記取得手段により所得されたコンテンツを前記表示手段に表示させる、請求項１に記載の情報表示装置。
【請求項３】
前記取得情報は、ネットワークアドレスである、請求項２に記載の情報表示装置。
【請求項４】
前記表示制御手段により強調表示される表示要素のサイズは、前記他の表示要素のサイズよりも大きい、請求項１に記載の情報表示装置。
【請求項５】
前記表示制御手段により強調表示される表示要素の表示濃度は、前記他の表示要素の表示濃度よりも濃い、請求項１に記載の情報表示装置。
【請求項６】
指示入力に応じて、前記表示態様変化指数を変化させる変化手段をさらに備える、請求項１に記載の情報表示装置。
【請求項７】
前記表示制御手段は、前記変化手段により前記表示態様変化指数が変化された場合、前記複数の表示要素の少なくとも１つの表示態様を変化させる、請求項６に記載の情報表示装置。
【請求項８】
前記複数の表示要素の各々は、画像である、請求項１に記載の情報表示装置。
【請求項９】
前記情報表示装置は外部装置とデータ通信可能であり、
前記複数の表示要素は、前記外部装置から受信したものである、請求項１に記載の情報表示装置。
【請求項１０】
情報表示装置と、映像表示装置とから構成される映像表示システムであって、
前記映像表示装置は、
コンテンツを表示する第１表示手段と、
前記第１表示手段に表示されている表示コンテンツに対応する二次情報を、前記情報表示装置へ送信する第１送信手段とを備え、
前記二次情報は、複数の表示要素を含み、
前記複数の表示要素の各々は、前記表示コンテンツに対する関連度が対応づけられており、
前記複数の表示要素の各々は、前記表示コンテンツに関連するコンテンツを取得するための取得情報が関連付けられており、
前記情報表示装置は、
前記映像表示装置の前記第１送信手段により送信された前記二次情報を受信する第１受信手段と、
受信した前記二次情報に含まれる前記複数の表示要素を表示する第２表示手段と、
前記複数の表示要素にそれぞれ対応する複数の関連度のうち、前記複数の表示要素の少なくとも１つの表示態様を変化させるための表示態様変化指数と一致する関連度または前記表示態様変化指数に最も近い関連度に対応する表示要素を、他の表示要素よりも強調表示する表示制御手段と、
指示入力に応じて、前記複数の表示要素のいずれかを選択する選択手段と、
前記選択手段により選択された表示要素に関連付けられた取得情報を、前記映像表示装置へ送信する第２送信手段とを備え、
前記映像表示装置は、
前記情報表示装置の前記第２送信手段により送信された取得情報を受信する第２受信手段と、
前記第２受信手段が受信した取得情報に基づいて、前記表示コンテンツに関連するコンテンツをネットワークから取得する取得手段とをさらに備える、映像表示システム。
【請求項１１】
前記映像表示装置は、
前記取得手段により所得されたコンテンツを前記第１表示手段に表示させるコンテンツ表示制御手段をさらに備える、請求項１０に記載の映像表示システム。
【請求項１２】
複数の表示要素を表示する表示部が設けられたコンピュータに実行させるための制御プログラムであって、
前記複数の表示要素の各々は、特定のコンテンツに対する関連度が対応づけられており、
前記複数の表示要素の各々は、前記特定のコンテンツに関連するコンテンツを取得するための取得情報が関連付けられており、
前記制御プログラムは、
前記複数の表示要素を前記表示部に表示する表示ステップと、
前記複数の表示要素にそれぞれ対応する複数の関連度のうち、前記複数の表示要素の少なくとも１つの表示態様を変化させるための表示態様変化指数と一致する関連度または前記表示態様変化指数に最も近い関連度に対応する表示要素を、他の表示要素よりも強調表示する表示制御ステップと、
指示入力に応じて、前記複数の表示要素のいずれかを選択する選択ステップと、
前記選択ステップにより選択された表示要素に関連付けられた取得情報に基づいて、前記特定のコンテンツに関連するコンテンツをネットワークから取得する取得ステップとを備える、制御プログラム。
【発明の詳細な説明】
【技術分野】
【０００１】
本発明は、情報表示装置、映像表示システムおよび制御プログラムに関し、特に、あるコンテンツに関連するコンテンツを取得する情報表示装置、映像表示システムおよび制御プログラムに関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術（以下、第１の先行技術ともいう）が開示されている。
【０００５】
また、特開２００１−２７５１７３号公報（特許文献２）には、操作される機器（以下、被操作機器ともいう）の種類に応じた操作画面を、操作側の機器に表示させ、操作側の機器を、被操作機器を操作するためのリモコンとして使用する技術（以下、第２の先行技術ともいう）が開示されている。
【０００６】
また、特開２００１−１３６５８５号公報（特許文献３）には、テレビ受像機に表示されたＷｅｂページ内の複数のハイパーリンク文字列の配置位置の情報を、リモコンへ送信する技術（以下、第３の先行技術ともいう）が開示されている。
【特許文献１】特開２００２−１３５８１０号公報
【特許文献２】特開２００１−２７５１７３号公報
【特許文献３】特開２００１−１３６５８５号公報
【発明の開示】
【発明が解決しようとする課題】
【０００７】
最近では、第１〜第３の先行技術のように、携帯電話等の通信端末装置と、テレビ等の映像表示装置とを連携させて使用する場面が増えつつある。そして、上記２つの装置を連携させて使用することで、コンテンツサイトから、各種サービスを享受する場面も増えつつある。上記サービスは、たとえば、映像表示装置が、コンテンツサイトからコンテンツを受信するサービスである。この場合、映像表示装置は受信したコンテンツを表示する。
【０００８】
映像表示装置に表示されているコンテンツ（以下、表示コンテンツともいう）には、多種多様な関連するコンテンツがある。たとえば、表示コンテンツが、サッカーの試合の映像コンテンツである場合、表示コンテンツに関連するコンテンツは、たとえば、サッカーの試合に出場している選手の情報のコンテンツである。表示コンテンツに関連するコンテンツを取得する方法には、たとえば、インターネット上の検索サイトでキーワードを入力するという方法がある。しかしながら、このような方法では、ユーザに余計な手間をかけてしまうという問題点がある。そのため、容易に表示コンテンツに関連するコンテンツを取得することが求められる。
【０００９】
本発明は、上述の問題点を解決するためになされたものであって、その目的は、特定のコンテンツに関連するコンテンツを容易に取得することが可能な情報表示装置を提供することである。
【００１０】
本発明の他の目的は、特定のコンテンツに関連するコンテンツを容易に取得することが可能な映像表示システムを提供することである。
【００１１】
本発明のさらに他の目的は、特定のコンテンツに関連するコンテンツを容易に取得することが可能な制御プログラムを提供することである。
【課題を解決するための手段】
【００１２】
上述の課題を解決するために、この発明のある局面に従う情報表示装置は、複数の表示要素を表示する表示手段を備え、複数の表示要素の各々は、特定のコンテンツに対する関連度が対応づけられており、複数の表示要素の各々は、特定のコンテンツに関連するコンテンツを取得するための取得情報が関連付けられており、情報表示装置は、複数の表示要素にそれぞれ対応する複数の関連度のうち、複数の表示要素の少なくとも１つの表示態様を変化させるための表示態様変化指数と一致する関連度または表示態様変化指数に最も近い関連度に対応する表示要素を、他の表示要素よりも強調表示する表示制御手段と、指示入力に応じて、複数の表示要素のいずれかを選択する選択手段と、選択手段により選択された表示要素に関連付けられた取得情報に基づいて、特定のコンテンツに関連するコンテンツをネットワークから取得する取得手段とをさらに備える。
【００１３】
好ましくは、表示制御手段は、取得手段により所得されたコンテンツを表示手段に表示させる。
【００１４】
好ましくは、取得情報は、ネットワークアドレスである。
好ましくは、表示制御手段により強調表示される表示要素のサイズは、他の表示要素のサイズよりも大きい。
【００１５】
好ましくは、表示制御手段により強調表示される表示要素の表示濃度は、他の表示要素の表示濃度よりも濃い。
【００１６】
好ましくは、指示入力に応じて、表示態様変化指数を変化させる変化手段をさらに備える。
【００１７】
好ましくは、表示制御手段は、変化手段により表示態様変化指数が変化された場合、複数の表示要素の少なくとも１つの表示態様を変化させる。
【００１８】
好ましくは、複数の表示要素の各々は、画像である。
好ましくは、情報表示装置は外部装置とデータ通信可能であり、複数の表示要素は、外部装置から受信したものである。
【００１９】
この発明の他の局面に従うと、情報表示装置と、映像表示装置とから構成される映像表示システムであって、映像表示装置は、コンテンツを表示する第１表示手段と、第１表示手段に表示されている表示コンテンツに対応する二次情報を、情報表示装置へ送信する第１送信手段とを備え、二次情報は、複数の表示要素を含み、複数の表示要素の各々は、表示コンテンツに対する関連度が対応づけられており、複数の表示要素の各々は、表示コンテンツに関連するコンテンツを取得するための取得情報が関連付けられており、情報表示装置は、映像表示装置の第１送信手段により送信された二次情報を受信する第１受信手段と、受信した二次情報に含まれる複数の表示要素を表示する第２表示手段と、複数の表示要素にそれぞれ対応する複数の関連度のうち、複数の表示要素の少なくとも１つの表示態様を変化させるための表示態様変化指数と一致する関連度または表示態様変化指数に最も近い関連度に対応する表示要素を、他の表示要素よりも強調表示する表示制御手段と、指示入力に応じて、複数の表示要素のいずれかを選択する選択手段と、選択手段により選択された表示要素に関連付けられた取得情報を、映像表示装置へ送信する第２送信手段とを備え、映像表示装置は、情報表示装置の第２送信手段により送信された取得情報を受信する第２受信手段と、第２受信手段が受信した取得情報に基づいて、表示コンテンツに関連するコンテンツをネットワークから取得する取得手段とをさらに備える。
【００２０】
好ましくは、映像表示装置は、取得手段により所得されたコンテンツを第１表示手段に表示させるコンテンツ表示制御手段をさらに備える。
【００２１】
この発明のさらに他の局面に従うと、複数の表示要素を表示する表示部が設けられたコンピュータに実行させるための制御プログラムであって、複数の表示要素の各々は、特定のコンテンツに対する関連度が対応づけられており、複数の表示要素の各々は、特定のコンテンツに関連するコンテンツを取得するための取得情報が関連付けられており、制御プログラムは、複数の表示要素を表示部に表示する表示ステップと、複数の表示要素にそれぞれ対応する複数の関連度のうち、複数の表示要素の少なくとも１つの表示態様を変化させるための表示態様変化指数と一致する関連度または表示態様変化指数に最も近い関連度に対応する表示要素を、他の表示要素よりも強調表示する表示制御ステップと、指示入力に応じて、複数の表示要素のいずれかを選択する選択ステップと、選択ステップにより選択された表示要素に関連付けられた取得情報に基づいて、特定のコンテンツに関連するコンテンツをネットワークから取得する取得ステップとを備える。
【発明の効果】
【００２２】
本発明に係る情報表示装置は、複数の表示要素の少なくとも１つの表示態様を変化させるための表示態様変化指数と一致する関連度または表示態様変化指数に最も近い関連度に対応する表示要素を、他の表示要素よりも強調表示する。複数の表示要素の各々は、特定のコンテンツに関連するコンテンツを取得するための取得情報が関連付けられている。情報表示装置は、指示入力に応じて、選択された表示要素に関連付けられた取得情報に基づいて、特定のコンテンツに関連するコンテンツをネットワークから取得する。
【００２３】
したがって、強調表示される表示要素は、ユーザが認識しやすくなり、容易に選択可能となる。その結果、特定のコンテンツに関連するコンテンツを容易に取得することができるという効果を奏する。
【００２４】
本発明に係る映像表示システムは、情報表示装置と、映像表示装置とから構成される。映像表示装置は、表示している表示コンテンツに対応する二次情報を、情報表示装置へ送信する。情報表示装置は、受信した二次情報に含まれる複数の表示要素を表示する。情報表示装置は、複数の表示要素の少なくとも１つの表示態様を変化させるための表示態様変化指数と一致する関連度または表示態様変化指数に最も近い関連度に対応する表示要素を、他の表示要素よりも強調表示する。複数の表示要素の各々は、表示コンテンツに関連するコンテンツを取得するための取得情報が関連付けられている。情報表示装置は、指示入力に応じて、選択された表示要素に関連付けられた取得情報を、映像表示装置へ送信する。映像表示装置は、受信した取得情報に基づいて、表示コンテンツに関連するコンテンツをネットワークから取得する。
【００２５】
したがって、強調表示される表示要素は、ユーザが認識しやすくなり、容易に選択可能となる。その結果、映像表示装置が表示している特定のコンテンツに関連するコンテンツを容易に取得することができるという効果を奏する。
【００２６】
本発明に係る制御プログラムは、複数の表示要素の少なくとも１つの表示態様を変化させるための表示態様変化指数と一致する関連度または表示態様変化指数に最も近い関連度に対応する表示要素を、他の表示要素よりも強調表示する。複数の表示要素の各々は、特定のコンテンツに関連するコンテンツを取得するための取得情報が関連付けられている。制御プログラムは、指示入力に応じて、選択された表示要素に関連付けられた取得情報に基づいて、特定のコンテンツに関連するコンテンツをネットワークから取得する。
【００２７】
したがって、強調表示される表示要素は、ユーザが認識しやすくなり、容易に選択可能となる。その結果、特定のコンテンツに関連するコンテンツを容易に取得することができるという効果を奏する。
【発明を実施するための最良の形態】
【００２８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２９】
＜第１の実施の形態＞
図１は、本実施の形態におけるネットワークシステム１０００の構成を示す図である。図１を参照して、ネットワークシステム１０００には、ホームネットワーク５０１が含まれる。
【００３０】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００３１】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００３２】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００３３】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＨＤＤレコーダ、ＤＶＤ（Digital Versatile Disc）レコーダ等である。
【００３４】
通信端末装置５００と、映像表示装置６００とは、無線または有線でデータ通信を行なう。すなわち、通信端末装置５００と、映像表示装置６００とから映像表示システムが構成される。
【００３５】
通信部５０は、通信端末装置５００、映像表示装置６００およびネットワーク７０の各々と、データ通信を行なう機能を有する。ネットワーク７０は、インターネットなどの外部のネットワークである。
【００３６】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用して、複数の機器と同時にデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００３７】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３８】
また、通信部５０は、さらに、イーサネット（登録商標）を利用した通信用インターフェースの機能（たとえば、ルータ機能）を有する。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３９】
また、ネットワーク７０は、電話網６０と、無線または有線によりデータ通信可能である。したがって、通信端末装置５００は、電話網６０を介して、ネットワーク７０とデータ通信可能である。
【００４０】
ネットワークシステム１０００には、さらに、サービスサーバ８００Ａと、検索サーバ８００Ｓと、Ｗｅｂサーバ８００Ｗとが含まれる。
【００４１】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００４２】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００４３】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００４４】
また、サービスサーバ８００Ａは、ストリーミング配信やビデオオンデマンドのための専用コンテンツを記憶しており、配信要求された装置へ、配信要求された動画像データをストリーミング配信あるいはダウンロード配信する。
【００４５】
また、サービスサーバ８００Ａは、配信要求したユーザや装置に対して、配信可否を判断する認証機能をもつ。
【００４６】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００４７】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００４８】
サービスサーバ８００Ａ、検索サーバ８００ＳおよびＷｅｂサーバ８００Ｗの各々は、ネットワーク７０と、無線または有線でデータ通信を行なう。
【００４９】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓの速度でデータ通信が可能であるとする。
【００５０】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００５１】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００５２】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００５３】
次に、通信端末装置５００について詳細に説明する。
図２は、通信端末装置５００の外観を正面から示した図である。図２を参照して、通信端末装置５００は、表示部５３０と、音声出力部５７０と、ＬＥＤ５７６と、入力部５４０とを備える。
【００５４】
表示部５３０は、文字や画像等を表示する機能を有する。表示部５３０は、ＬＣＤパネル（Liquid Crystal Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００５５】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００５６】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００５７】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００５８】
ＬＥＤ５７６は、通信端末装置５００で行なわれる処理に応じて、光による報知を行なう。たとえば、ＬＥＤ５７６は、電話の着信があった場合、光を点滅させる。
【００５９】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。
【００６０】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００６１】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００６２】
機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００６３】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００６４】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００６５】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００６６】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００６７】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００６８】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００６９】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００７０】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００７１】
図５を参照して、通信端末装置５００は、さらに、制御部５１０と、一時記憶部５２２と、記憶部５２０とを備える。
【００７２】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００７３】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）およびその他の演算機能を有する回路のいずれであってもよい。
【００７４】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory（登録商標））、Ｄｉｒｅｃｔ−ＲＤＲＡＭ（Direct Rambus Dynamic Random Access Memory（登録商標））、その他、データを揮発的に記憶保持可能な構成を有する回路のいずれであってもよい。
【００７５】
通信端末装置５００は、さらに、アンテナ５０２と、チューナ５０５と、データ処理部５０７とを備える。
【００７６】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００７７】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００７８】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００７９】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００８０】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００８１】
また、受信した放送信号が、ディジタル放送に基づく信号である場合、データ処理部５０７は、以下の処理を行なう。まず、データ処理部５０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００８２】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００８３】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００８４】
通信端末装置５００は、さらに、ＶＤＰ５３２と、ＶＲＡＭ（Video Random Access Memory）５３６とを備える。
【００８５】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００８６】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００８７】
通信端末装置５００は、さらに、入力部５４０と、記録媒体アクセス部５５０を備える。
【００８８】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００８９】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００９０】
記録媒体５５５に記憶されているプログラム１８０は、制御部５１０のインストール処理により、記録媒体アクセス部５５０により読出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００９１】
なお、記憶部５２０には、プログラム１８０がインストールされていなくてもよい。この場合、制御部５１０は、記録媒体アクセス部５５０を介して、記録媒体５５５に記憶されたプログラム１８０を読出して、プログラム１８０に基づいた所定の処理を行なう。記録媒体５５５には、さらに、コンテンツデータ等も記録されている。コンテンツデータは、たとえば、音楽データ、動画像データ等である。
【００９２】
記録媒体５５５は、フロッピー（登録商標）ディスク、ＣＦ(Compact Flash（登録商標）) カード、ＳＭ（Smart Media（登録商標））、ＭＭＣ（Multi Media Card（登録商標））、ＳＤ（Secure Digital（登録商標））メモリーカード、メモリースティック（登録商標）、ｘＤピクチャーカード（登録商標）および上記以外の不揮発性メモリのいずれであってもよい。
【００９３】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００９４】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００９５】
なお、通信部５６０は、パラレル転送を行なう通信用インターフェースの機能を有していてもよい。パラレル転送を行なう通信用インターフェースは、たとえば、セントロニクス（登録商標）準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００９６】
また、通信部５６０は、さらに、無線データ通信機能を有する。無線データ通信機能は、ブルートゥース（Bluetooth（登録商標））を使用して、無線でデータ通信を行なう機能を有する。なお、無線データ通信は、ブルートゥース（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００９７】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができ、通信部５０を介して、たとえば、映像表示装置６００に対して録画データの送信要求を行ない、送信された録画データを受信してストリーミング再生を行なうことができる。
【００９８】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００９９】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【０１００】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【０１０１】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【０１０２】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【０１０３】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【０１０４】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【０１０５】
制御部５１０は、前述した音声出力部５７０，５７２、音声入力部５７４とデータ通信する。
【０１０６】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【０１０７】
ユーザが音声入力部５７４に含まれるマイクに対して音声を発すると、音声入力部５７４は、マイクにより取得した音声を音声データに変換して、音声データを、制御部５１０へ送信する。
【０１０８】
制御部５１０は、前述したＬＥＤ５７６、撮像部５７８とデータ通信する。ＬＥＤ５７６は、制御部５１０からの制御指示に基づいて、光を発する。
【０１０９】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１１０】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【０１１１】
通信端末装置５００は、さらに、ＲＦＩＤ５８０を備える。ＲＦＩＤ５８０は、たとえば、Felica(登録商標)などのセキュリティ機能をもったＲＦＩＤ（Radio Frequency Identification）に基づく集積回路で、非接触で図示しない読み取り端末と通信を行なう。また、ＲＦＩＤ５８０は、制御部５１０からの制御指示に基づいて、端末ＩＤなどのデータを出力する。
【０１１２】
次に、映像表示装置６００について詳細に説明する。
図６は、映像表示装置６００の外観を正面から示した図である。図６を参照して、映像表示装置６００は、表示部６３０と、音声出力部６７０とを備える。
【０１１３】
表示部６３０は、文字や画像等を表示する機能を有する。表示部６３０は、ＬＣＤパネル、ＣＲＴ（Cathode Ray Tube）、ＦＥＤパネル（Field Emission Display Panel）、ＰＤＰ（Plasma Display Panel）および有機ＥＬディスプレイパネルのいずれかを使用した装置である。なお、表示部６３０は、上記以外の表示方式のパネルを使用した装置であってもよい。表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、４：３であってもよい。
【０１１４】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１１５】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１１６】
図７を参照して、映像表示装置６００は、さらに、制御部６１０と、一時記憶部６２２と、記憶部６２０とを備える。
【０１１７】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤやその他の各種データ等が記憶されている。
【０１１８】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１１９】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１２０】
映像表示装置６００は、さらに、アンテナ６０２と、チューナ６０５と、データ処理部６０７とを備える。
【０１２１】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１２２】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１２３】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１２４】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１２５】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１２６】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１２７】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１２８】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１２９】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１３０】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１３１】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１３２】
映像表示装置６００は、さらに、ＶＤＰ６３２と、ＶＲＡＭ６３６とを備える。
ＶＲＡＭ６３６は、画像データを一時的に記憶する機能を有する。
【０１３３】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１３４】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１３５】
映像表示装置６００は、さらに、入力部６４０と、記録媒体アクセス部６５０とを備える。
【０１３６】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１３７】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１３８】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１３９】
記録媒体５５５Ａは、ＢＤ（Blu-ray Disc）、ＨＤ−ＤＶＤ（High-Definition Digital Versatile Disc）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード（登録商標）、ＵＳＢメモリ、磁気テープおよび上記以外の不揮発性メモリのいずれであってもよい。
【０１４０】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１４１】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。したがって、通信部５０を介して、通信部６６２に対し、記憶部６２０に記憶されている録画データの送信要求があった場合は、録画データを要求した装置に対して送信、あるいはストリーミング配信する。
【０１４２】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１４３】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１４４】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１４５】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１４６】
図８は、サービスサーバ８００Ａの内部構成を示したブロック図である。図８を参照して、サービスサーバ８００Ａは、表示部８３０と、制御部８１０と、一時記憶部８２２と、記憶部８２０とを備える。
【０１４７】
表示部８３０は、文字や画像等を表示する機能を有する。表示部８３０は、前述の表示部６３０と同様なものであるので詳細な説明は繰り返さない。
【０１４８】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１４９】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１５０】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１５１】
サービスサーバ８００Ａは、さらに、ＶＤＰ８３２と、ＶＲＡＭ８３６とを備える。
ＶＲＡＭ８３６は、画像データを一時的に記憶する機能を有する。
【０１５２】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１５３】
ＶＤＰ８３２は表示部８３０と接続されている。ＶＤＰ８３２は、制御部８１０からの描画指示に応じて、記憶部５２０内の後述するプログラム１８０からフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１５４】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１５５】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１５６】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１５７】
なお、検索サーバ８００ＳおよびＷｅｂサーバ８００Ｗの各々も、前述したサービスサーバ８００Ａと同様な構成を有するので詳細な説明は繰り返さない。
【０１５８】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１５９】
図９は、一例としてのリモコン画像ＭＧ１００を示す図である。図９を参照して、リモコン画像ＭＧ１００には、ボタン画像ＭＢＧ１１０，ＭＢＧ１２０，ＭＢＧ１３０が配置される。
【０１６０】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１６１】
ボタン画像ＭＢＧ１１０は、インターフェース操作Ｍにより、押下処理されることで、電源リモコン信号を、映像表示装置６００へ送信するためのボタン画像である。電源リモコン信号は、映像表示装置６００の電源がオンである状態と、映像表示装置６００の電源がオフである状態とを切替えるためのリモコン信号である。
【０１６２】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１６３】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１６４】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１６５】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１６６】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行なわれた場合、リモコンチャンネル番号は、“１”になる。
【０１６７】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行なわれた場合、リモコンチャンネル番号は、“１２”になる。
【０１６８】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１６９】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１７０】
以下においては、通信端末装置５００が、映像表示装置６００へリモコン信号を送信することで映像表示装置６００を操作可能な場合における、通信端末装置５００の動作モードを、リモコンモードともいう。
【０１７１】
次に、映像表示装置６００が、サービスサーバ８００Ａからコンテンツを受信する処理（以下、コンテンツ取扱い処理ともいう）について説明する。なお、通信端末装置５００の表示部５３０には、図９のリモコン画像ＭＧ１００が表示されているとする。この場合、通信端末装置５００は、リモコンモードに設定されているとする。
【０１７２】
図１０は、コンテンツ取扱い処理のフローチャートである。図１０では、通信端末装置５００、映像表示装置６００、サービスサーバ８００Ａの各々において行なわれる処理を示す。
【０１７３】
通信端末装置５００では、まず、ステップＳ１１０の処理が行なわれる。
ステップＳ１１０では、制御部５１０が、リスト取得操作があるか否かを判定する。リスト取得操作とは、サービスサーバ８００Ａから取得可能なコンテンツのリストを表示部５３０に表示させるための操作である。具体的には、リスト取得操作は、図９のボタン画像ＭＢＧ１３０を押下処理するためのインターフェース操作Ｍである。ステップＳ１１０において、ＹＥＳならば、ステップＳ１１１に進む。一方、ステップＳ１１０において、ＮＯならば、再度、ステップＳ１１０の処理が行なわれる。
【０１７４】
ステップＳ１１１では、リスト取得処理が行なわれる。リスト取得処理では、まず、制御部５１０が、リスト取得要求としてのリスト取得リモコン信号を、通信部５６０を利用して、映像表示装置６００へ送信する。リスト取得リモコン信号は、サービスサーバ８００Ａから取得可能なコンテンツのリストを、映像表示装置６００に取得させるためのリモコン信号である。
【０１７５】
映像表示装置６００では、まず、ステップＳ１２０の処理が行なわれる。ステップＳ１２０では、制御部６１０が、リスト取得要求としてのリスト取得リモコン信号を受信したか否かを判定する。ステップＳ１２０において、ＹＥＳならば、ステップＳ１２１に進む。一方、ステップＳ１２０において、ＮＯならば、再度、ステップＳ１２０の処理が行なわれる。
【０１７６】
ステップＳ１２１では、リスト取得処理Ａが行なわれる。リスト取得処理Ａでは、まず、制御部６１０が、通信部６６２を利用して、サービスサーバ８００Ａから取得可能なコンテンツのリストを取得するためのリスト取得要求Ａを、サービスサーバ８００Ａへ送信する。
【０１７７】
サービスサーバ８００Ａでは、まず、ステップＳ１４０の処理が行なわれる。
ステップＳ１４０では、制御部８１０が、リスト取得要求Ａを受信したか否かを判定する。ステップＳ１４０において、ＹＥＳならば、ステップＳ１４１に進む。一方、ステップＳ１４０において、ＮＯならば、再度、ステップＳ１４０の処理が行なわれる。
【０１７８】
ステップＳ１４１では、制御部８１０が、リスト取得要求Ａを送信した装置に対し、サービスサーバ８００Ａが配信可能なコンテンツのリストのデータである、以下のリストデータＤ１００を送信する。その後，ステップＳ１４１の処理は終了する。
【０１７９】
図１１は、一例としてのリストデータＤ１００を示す図である。図１１を参照して、リストデータＤ１００は、複数のコンテンツ情報から構成される。「管理番号」とは、複数のコンテンツ情報の各々を管理するための番号である。「ＩＤ番号」とは、コンテンツを識別するための番号である。「タイトル」とは、対応するコンテンツのタイトルを示す。
【０１８０】
再び、図１０を参照して、映像表示装置６００では、リスト取得処理Ａにおいて、制御部６１０が、リストデータＤ１００を受信する。制御部６１０は、リストデータＤ１００を受信すると、記憶部６２０にリストデータＤ１００を記憶させる。そして、制御部６１０が、リストデータＤ１００に基づいて、ＶＤＰ６３２を利用して、以下のリスト画像Ｇ２００を生成し、生成したリスト画像Ｇ２００を表示部６３０に表示させる。
【０１８１】
図１２は、一例としてのリスト画像Ｇ２００を示す図である。図１２を参照して、リスト画像Ｇ２００には、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９が配置される。ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９の各々には、コンテンツのタイトルが表示される。
【０１８２】
ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９の各々は、押下処理されることにより、対応するコンテンツを、サービスサーバ８００Ａから取得するためのボタン画像である。
【０１８３】
なお、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９の各々には、対応するコンテンツのサムネイル画像が表示されてもよい。サムネイル画像は、動画像および静止画像のいずれであってもよい。サムネイル画像は、コンテンツの内容を示すための画像である。サムネイル画像は、たとえば、コンテンツの１シーンの動画像であってもよい。
【０１８４】
なお、リスト画像Ｇ２００は、ＥＰＧデータに基づいて生成された電子番組表が表示された画像であってもよい。この場合、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９の各々は、番組の動画像を取得するためのボタン画像となる。
【０１８５】
再び、図１０を参照して、ステップＳ１２１のリスト取得処理Ａでは、さらに、制御部６１０が、通信部６６０を利用して、受信したリストデータＤ１００を、通信端末装置５００へ送信（転送）する。その後、ステップＳ１２１の処理は終了する。
【０１８６】
通信端末装置５００において、ステップＳ１１１のリスト取得処理では、さらに、制御部５１０が、リストデータＤ１００を受信する。制御部５１０は、リストデータＤ１００を受信すると、記憶部５２０にリストデータＤ１００を記憶させる。そして、制御部５１０が、リストデータＤ１００に基づいて、ＶＤＰ５３２を利用して、以下のリスト画像ＭＧ２００を生成し、生成したリスト画像ＭＧ２００を表示部５３０に表示させる。そして、ステップＳ１１１の処理は終了する。
【０１８７】
図１３は、一例としてのリスト画像ＭＧ２００を示す図である。図１３を参照して、リスト画像ＭＧ２００には、コンテンツ一覧画像Ｇ２１０と、ボタン画像ＭＢＧ１７０，ＭＢＧ２８０が配置される。
【０１８８】
コンテンツ一覧画像Ｇ２１０は、サービスサーバ８００Ａからコンテンツを取得するためのボタン画像を表示する画像である。コンテンツ一覧画像Ｇ２１０には、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９が配置される。ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々には、コンテンツのタイトルが表示される。
【０１８９】
ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々は、インターフェース操作Ｍにより、押下処理されることにより、映像表示装置６００に表示されているリスト画像Ｇ２００内の、同じタイトルを表示するボタン画像を押下処理するためのリモコン信号を、映像表示装置６００へ送信するためのボタン画像である。
【０１９０】
たとえば、インターフェース操作Ｍにより、「Ｂ映画」というタイトルを表示するボタン画像ＭＢＧ２１１が押下処理されると、制御部５１０は、リスト画像Ｇ２００内において、「Ｂ映画」というタイトルを表示するボタン画像ＢＧ２１１を押下処理するためのリモコン信号を、映像表示装置６００へ送信する。
【０１９１】
ボタン画像ＭＢＧ１７０は、図９のリモコン画像ＭＧ１００内のボタン画像ＭＢＧ１７０と同様なので詳細な説明は繰り返さない。ボタン画像２８０は、インターフェース操作Ｍにより、押下処理されることにより、表示部５３０に、リスト画像ＭＧ２００の代わりに、図９のリモコン画像ＭＧ１００の画像を表示させるためのボタン画像である。
【０１９２】
なお、リモコン画像ＭＧ１００は、ＥＰＧデータに基づいて生成された電子番組表が表示された画像であってもよい。この場合、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々は、コンテンツとしての番組の動画像を取得するためのボタン画像となる。
【０１９３】
再び、図１０を参照して、通信端末装置５００では、ステップＳ１１１の処理が終了すると、ステップＳ１１２に進む。
【０１９４】
ステップＳ１１２では、制御部５１０が、コンテンツ取得操作があるか否かを判定する。コンテンツ取得操作とは、サービスサーバ８００Ａからコンテンツを受信するための操作である。具体的には、コンテンツ取得操作は、インターフェース操作Ｍにより、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９のいずれかを押下処理する操作である。
【０１９５】
ステップＳ１１２において、ＹＥＳならば、ステップＳ１１３に進む。一方、ステップＳ１１２において、ＮＯならば、再度、ステップＳ１１２の処理が行なわれる。ここでは、インターフェース操作Ｍにより、「Ｃサッカー」というタイトルを表示するボタン画像ＭＢＧ２１２を押下処理するコンテンツ取得操作があったとして、ステップＳ１１３に進む。以下においては、コンテンツ取得操作により、サービスサーバ８００Ａに対し、取得要求されるコンテンツを取得要求コンテンツという。
【０１９６】
ステップＳ１１３では、制御部５１０が、コンテンツ取得要求としてのコンテンツ取得リモコン信号を、通信部５６０を利用して、映像表示装置６００へ送信する。そして、このステップＳ１１３の処理は終了する。この場合、コンテンツ取得リモコン信号は、タイトルが「Ｃサッカー」の取得要求コンテンツをサービスサーバ８００Ａから受信するためのリモコン信号である。
【０１９７】
映像表示装置６００では、ステップＳ１２１の処理が終了すると、ステップＳ１２２に進む。
【０１９８】
ステップＳ１２２では、制御部６１０が、コンテンツ取得要求としてのコンテンツ取得リモコン信号を受信したか否かを判定する。ステップＳ１２２において、ＹＥＳならば、ステップＳ１２３に進む。一方、ステップＳ１２２において、ＮＯならば、再度、ステップＳ１２２の処理が行なわれる。ここでは、コンテンツ取得要求としての、タイトルが「Ｃサッカー」の取得要求コンテンツを受信するためのコンテンツ取得リモコン信号を受信したとして、ステップＳ１２３に進む。
【０１９９】
ステップＳ１２３では、制御部６１０が、通信部６６２を利用して、サービスサーバ８００Ａから、受信したコンテンツ取得リモコン信号が特定するコンテンツを取得するためのコンテンツ取得要求Ａを、サービスサーバ８００Ａへ送信する。その後、ステップＳ１２３の処理は終了する。コンテンツ取得要求Ａには、取得要求コンテンツを特定するためのＩＤ番号が含まれる。ここでは、コンテンツ取得要求Ａには、タイトルが「Ｃサッカー」の取得要求コンテンツを特定するためのＩＤ番号「１２３５」が含まれているとする。
【０２００】
サービスサーバ８００Ａでは、ステップＳ１４１の処理が終了すると、ステップＳ１４２に進む。
【０２０１】
ステップＳ１４２では、制御部８１０が、コンテンツ取得要求Ａを受信したか否かを判定する。ステップＳ１４２において、ＹＥＳならば、ステップＳ１４３に進む。一方、ステップＳ１４２において、ＮＯならば、再度、ステップＳ１４２の処理が行なわれる。
【０２０２】
ステップＳ１４３では、コンテンツ配信処理が行なわれる。コンテンツ配信処理では、制御部８１０が、取得要求コンテンツを、コンテンツ取得要求Ａを送信した映像表示装置６００へストリーミング配信する処理を開始する。なお、取得要求コンテンツは、放送電波として、映像表示装置６００へ配信されてもよい。
【０２０３】
ここで、取得要求コンテンツは、ＭＰＥＧ２−ＴＳ（Transport Stream）形式で圧縮された動画像データであるとする。なお、動画像データの圧縮形式は、ＭＰＥＧ２−ＴＳ形式に限定されることなく、他の形式で圧縮されたデータであってもよい。ここで、他の形式とは、たとえば、ＭＰＥＧ２、Ｈ．２６４等の形式である。また、取得要求コンテンツは、タイトルが「Ｃサッカー」の動画像データであるとする。なお、取得要求コンテンツは、ストリーミング配信ではなく、映像表示装置６００が、取得要求コンテンツをダウンロード可能なように送信されてもよい。
【０２０４】
取得要求コンテンツの配信が終了すると、ステップＳ１４３の処理は終了し、再度、ステップＳ１４２の処理が行なわれる。なお、取得要求コンテンツには、以下のメタデータテーブルが含まれる。すなわち、メタデータテーブルは、取得要求コンテンツに対応するデータである。メタデータテーブルは、複数のメタデータを含む。当該メタデータテーブルは、以下のメタデータテーブルＤ２００であるとする。
【０２０５】
図１４は、一例としてのメタデータテーブルＤ２００を示す図である。図１４を参照して、メタデータテーブルＤ２００は、複数のメタデータを含む。複数のメタデータの各々は、画像データを含む。
【０２０６】
メタデータテーブルＤ２００において、「番号」とは、メタデータを管理するための番号である。「関連コンテンツタイトル」とは、取得要求コンテンツに関連するコンテンツ（以下、関連コンテンツともいう）のタイトルである。「関連度」とは、取得要求コンテンツと、関連コンテンツとの関連度（以下、要求コンテンツ関連度ともいう）を示す。要求コンテンツ関連度は、一例として、“０”〜“１００”の範囲の値で表現されるものとする。要求コンテンツ関連度が“１００”の場合、取得要求コンテンツと、関連コンテンツとの関連度は最も高いものとする。要求コンテンツ関連度が“０”の場合、取得要求コンテンツと、関連コンテンツとの関連度は最も低いものとする。
【０２０７】
たとえば、取得要求コンテンツが映画のコンテンツであり、要求コンテンツ関連度が“１００”の場合、関連コンテンツは、映画である取得要求コンテンツを視聴したユーザのみがダウンロード可能な特典映像のコンテンツである。また、たとえば、取得要求コンテンツが映画のコンテンツであり、要求コンテンツ関連度が“８０”の場合、関連コンテンツは、取得要求コンテンツとしての映画のあらすじの情報を示すコンテンツである。すなわち、要求コンテンツ関連度の数値が高い程、取得要求コンテンツと、関連コンテンツとの関連度は高くなる。
【０２０８】
また、取得要求コンテンツがサッカーの試合の映像コンテンツであり、要求コンテンツ関連度が“２０”の場合、関連コンテンツは、当該サッカーの試合を行なっているチームとは別のチームのサッカーの試合結果の情報を示すコンテンツである。すなわち、要求コンテンツ関連度の数値が低い程、取得要求コンテンツと、関連コンテンツとの関連度は低くなる。
【０２０９】
「ＵＲＬ」とは、関連コンテンツを取得または参照するためのＵＲＬである。「有効期限」とは、現在の日時から、関連コンテンツを取得または参照可能な日時までの期限である。たとえば、番号“１”に対応する関連コンテンツは、有効期限は、７日である。この場合、関連コンテンツは、現在の日時から、７日経過した日時まで取得または参照可能である。「配信元」とは、関連コンテンツを提供するコンテンツ提供会社である。「ジャンル」とは、関連コンテンツのジャンルである。「出演者」とは、関連コンテンツの出演者である。なお、取得要求コンテンツが、たとえば、スポーツ番組であれば、出演者は、たとえば、出場選手となる。
【０２１０】
したがって、たとえば、メタデータテーブルＤ２００において、番号“１”のメタデータは、関連コンテンツのタイトルが「特典」であり、取得要求コンテンツと関連コンテンツとの関連度が“１００”であり、関連コンテンツを取得または参照するためのＵＲＬが“http://www.bb.ne.jp/tokuten.mpg”であり、関連コンテンツの有効期限が７日であり、関連コンテンツの配信元が「ＡＢ会社」であり、関連コンテンツのジャンルがスポーツであり、関連コンテンツにおける出演者が「Ｎ．Ｈ」であることを示す。
【０２１１】
なお、メタデータテーブルＤ２００に含まれる複数のメタデータの各々に含まれる画像データ（以下、メタデータ対応画像データともいう）は、関連コンテンツに関連する、文字、図形等を表示する画像（以下、メタデータ対応画像ともいう）のデータである。メタデータ対応画像は、たとえば、アイコンである。
【０２１２】
再び、図１０を参照して、映像表示装置６００では、ステップＳ１２３の処理の後、ステップＳ１２４に進む。
【０２１３】
ステップＳ１２４では、制御部６１０が、コンテンツ表示処理を実行する。コンテンツ表示処理は、他の処理とは独立して行なわれる処理である。コンテンツ表示処理の開始後、ステップＳ１２４の処理は終了し、ステップＳ１２５に進む。
【０２１４】
コンテンツ表示処理では、制御部６１０が、ＶＤＰ６３２を利用して、取得要求コンテンツをサービスサーバ８００Ａから受信しながら、取得要求コンテンツの再生（復号化）を行ない、取得要求コンテンツに基づく画像（以下、コンテンツ画像ともいう）を、表示部６３０に表示するストリーミング再生表示処理が行なわれる。また、制御部６１０は、取得要求コンテンツに含まれるメタデータテーブルを記憶部６２０に記憶させる。
【０２１５】
なお、取得要求コンテンツの受信が完了し、取得要求コンテンツに基づく画像の再生が終了した場合、このコンテンツ表示処理は終了する。
【０２１６】
ステップＳ１２５では、制御部６１０が、取得要求コンテンツに含まれるメタデータテーブルを、通信端末装置５００へ送信する。ここで、送信されるメタデータテーブルは、メタデータテーブルＤ２００であるとする。その後、再度、ステップＳ１２２の処理が行なわれる。
【０２１７】
通信端末装置５００では、ステップＳ１１３の処理の後、ステップＳ１１４に進む。
ステップＳ１１４では、制御部５１０が、メタデータテーブルを受信したか否かを判定する。ステップＳ１１４において、ＹＥＳならば、ステップＳ１１５に進む。一方、ステップＳ１１４において、ＮＯならば、再度、ステップＳ１１４の処理が行なわれる。ここでは、メタデータテーブルＤ２００を受信したとして、ステップＳ１１５に進む。
【０２１８】
ステップＳ１１５では、並び替え処理が行なわれる。並び替え処理では、制御部５１０が、メタデータテーブルに含まれる複数のメタデータを、対応する関連度の高いものから順に並び替える。メタデータテーブルが、メタデータテーブルＤ２００である場合、並び替え処理が行なわれた後のメタデータテーブルＤ２００は、以下のメタデータテーブルＤ２００Ａとなる。その後、ステップＳ１１５の処理は終了する。
【０２１９】
図１５は、一例としてのメタデータテーブルＤ２００Ａを示す図である。図１５を参照して、メタデータテーブルＤ２００Ａは、図１４のメタデータテーブルＤ２００を、対応する要求コンテンツ関連度の高いメタデータから順に並び替えられたデータテーブルである。
【０２２０】
再び、図１０を参照して、ステップＳ１１５の処理の後、ステップＳ１１６に進む。
ステップＳ１１６では、表示処理が行なわれる。
【０２２１】
図１６は、表示処理のフローチャートである。図１６を参照して、ステップＳ２１０では、関連コンテンツ取得画像表示処理が行なわれる。関連コンテンツ取得画像表示処理では、制御部５１０が、ＶＤＰ５３２を利用して、メタデータテーブルＤ２００Ａに含まれる複数のメタデータと、当該複数のメタデータの各々に含まれるメタデータ対応画像データとを使用して、関連コンテンツ取得画像を生成し、生成した関連コンテンツ取得画像を、表示部５３０に表示する。そして、ステップＳ２１０の処理は終了する。なお、関連コンテンツ取得画像は、図２の通信端末装置５００を横向きにした（右回りに９０度回転した）状態の表示部５３０に表示される画像であるとする。
【０２２２】
関連コンテンツ取得画像は、関連コンテンツを取得するための画像である。関連コンテンツ取得画像は、以下の関連コンテンツ取得画像Ｇ３００であるとする。なお、関連コンテンツ取得画像Ｇ３００は、一例として、メタデータテーブルＤ２００Ａに示される番号“１”〜“４”のメタデータと、番号“１”〜“４”のメタデータの各々に含まれるメタデータ対応画像データとを使用して生成される画像であるとする。本実施の形態において、以下においては、メタデータテーブルＤ２００Ａの番号“ｍ（自然数）”のメタデータを、単に、番号“ｍ”のメタデータともいう。たとえば、メタデータテーブルＤ２００Ａの番号“２”のメタデータは、単に、番号“２”のメタデータともいう。
【０２２３】
図１７は、一例としての関連コンテンツ取得画像Ｇ３００を示す図である。図１７を参照して、関連コンテンツ取得画像Ｇ３００には、メタデータ対応画像Ｇ３１０，Ｇ３２０，Ｇ３３０，Ｇ３４０と、表示態様変化指数変更画像ＳＧ３８０とが配置される。メタデータ対応画像Ｇ３１０，Ｇ３２０，Ｇ３３０，Ｇ３４０は、それぞれ、メタデータテーブルＤ２００Ａの番号“１”〜“４”のメタデータに含まれるメタデータ対応画像データに基づく画像である。たとえば、メタデータ対応画像Ｇ３３０は、メタデータテーブルＤ２００Ａの番号“３”のメタデータに含まれるメタデータ対応画像データに基づく画像である。
【０２２４】
すなわち、メタデータ対応画像Ｇ３１０，Ｇ３２０，Ｇ３３０，Ｇ３４０は、それぞれ、メタデータテーブルＤ２００Ａの番号“１”〜“４”のメタデータに対応する。すなわち、メタデータ対応画像Ｇ３１０，Ｇ３２０，Ｇ３３０，Ｇ３４０の各々は、対応するメタデータの示す要求コンテンツ関連度に対応する。
【０２２５】
また、メタデータ対応画像Ｇ３１０，Ｇ３２０，Ｇ３３０，Ｇ３４０は、それぞれ、番号“１”〜“４”のメタデータが示すＵＲＬと関連付けられる。メタデータ対応画像Ｇ３１０，Ｇ３２０，Ｇ３３０，Ｇ３４０は、インターフェース操作Ｍにより選択されることで、関連付けられたＵＲＬにより取得可能な関連コンテンツを取得するための画像である。
【０２２６】
たとえば、メタデータ対応画像Ｇ３３０は、番号“３”のメタデータが示すＵＲＬ（http://www.bb.ne.jp/player.html）（図１５参照）と関連付けられる。この場合、メタデータ対応画像Ｇ３３０がインターフェース操作Ｍにより選択されると、“http://www.bb.ne.jp/player.html”のＷｅｂページの画像が表示部５３０に表示される。
【０２２７】
メタデータ対応画像Ｇ３１０，Ｇ３２０，Ｇ３３０，Ｇ３４０の各々には、対応するメタデータが示す関連コンテンツのタイトルの全てまたは一部が表示される。なお、メタデータ対応画像Ｇ３１０，Ｇ３２０，Ｇ３３０，Ｇ３４０の各々は、関連コンテンツに関連する、文字、図形等を表示する画像であってもよい。前述したように、メタデータ対応画像Ｇ３１０，Ｇ３２０，Ｇ３３０，Ｇ３４０の各々は、たとえば、アイコンであってもよい。なお、メタデータ対応画像Ｇ３１０，Ｇ３２０，Ｇ３３０，Ｇ３４０の各々の形状は、四角に限定されることなく、他の形状であってもよい。また、メタデータ対応画像Ｇ３１０，Ｇ３２０，Ｇ３３０，Ｇ３４０の配置位置は、図１７に示される位置に限定されることなく、配置される位置は、どこであってもよい。
【０２２８】
表示態様変化指数変更画像ＳＧ３８０は、表示態様変化指数を設定するための画像である。ここで、表示態様変化指数は、複数のメタデータ対応画像の表示態様を変化させるための指数である。なお、表示態様変化指数は、複数のメタデータ対応画像のうちの少なくとも１つの表示態様を変化させるための指数であってもよい。表示態様変化指数は、要求コンテンツ関連度と同様、“０”〜“１００”の範囲の値で表現されるものとする。
【０２２９】
表示態様変化指数変更画像ＳＧ３８０は、スライダーバーＳＧ３８２を含む。スライダーバーＳＧ３８２は、インターフェース操作Ｍにより、左右に移動させることが可能である。スライダーバーＳＧ３８２の移動により、表示態様変化指数は、“０”〜“１００”の範囲で変化する。表示態様変化指数変更画像ＳＧ３８０内に表示される数字ｎ（自然数）の上部にスライダーバーＳＧ３８２が配置される場合、表示態様変化指数は“ｎ”となる。たとえば、表示態様変化指数変更画像ＳＧ３８０内の“４０”という数字の上部にスライダーバーＳＧ３８２が配置される場合、表示態様変化指数は“４０”となる。
【０２３０】
なお、表示態様変化指数の初期値は“１００”であるとする。この場合、表示態様変化指数“１００”と一致する要求コンテンツ関連度のメタデータは、番号“１”のメタデータである。なお、関連コンテンツ取得画像に配置されるメタデータ対応画像のサイズは、一例として、番号“ｎ（自然数）”のメタデータに含まれるメタデータ対応画像データに基づく画像の縦および横ともにＳ（自然数）％のサイズとする。
【０２３１】
ここで、関連コンテンツ取得画像は、関連コンテンツ取得画像Ｇ３００であるとする。Ｓは、以下の式（１）により算出される。なお、Ｓを算出する式は、式（１）に限定されることなく、他の式であってもよい。
Ｓ＝１００−｜表示態様変化指数−要求コンテンツ関連度｜        ・・・（１）
式（１）において、｜表示態様変化指数−要求コンテンツ関連度｜は、表示態様変化指数と要求コンテンツ関連度との絶対値を示す。表示態様変化指数が“１００”である場合、番号“１”のメタデータが示す要求コンテンツ関連度は“１００”なので、式（１）に代入すると、Ｓは、１００−｜１００−１００｜より、“１００”となる。
【０２３２】
したがって、番号“１”のメタデータに対応するメタデータ対応画像Ｇ３１０のサイズは、番号“１”のメタデータに含まれるメタデータ対応画像データに基づく画像の縦および横ともに１００％のサイズとなる。
【０２３３】
本実施の形態では、メタデータテーブルＤ２００Ａの番号“１”〜“４”のメタデータの各々に含まれるメタデータ対応画像データに基づく画像のサイズは、同じサイズであるとする。なお、メタデータテーブルＤ２００Ａの番号“１”〜“４”のメタデータの各々に含まれるメタデータ対応画像データに基づく画像のサイズは、異なるサイズであってもよい。
【０２３４】
また、表示態様変化指数が“１００”である場合、番号“２”のメタデータが示す要求コンテンツ関連度は“４０”なので、式（１）に代入すると、Ｓは、１００−｜１００−４０｜より、“４０”となる。したがって、番号“２”のメタデータに対応するメタデータ対応画像Ｇ３２０のサイズは、番号“２”のメタデータに含まれるメタデータ対応画像データに基づく画像の縦および横ともに４０％のサイズとなる。番号“３”，“４”のメタデータにそれぞれ対応するメタデータ対応画像Ｇ３３０，Ｇ３４０のサイズも、上記計算により決定される。なお、表示態様変化指数の初期値は“１００”でなくてもよい。
【０２３５】
したがって、複数のメタデータ対応画像にそれぞれ対応する複数の要求コンテンツ関連度のうち、表示態様変化指数と一致する要求コンテンツ関連度または表示態様変化指数に最も近い要求コンテンツ関連度に対応するメタデータ対応画像（以下、強調メタデータ対応画像ともいう）が、他のメタデータ対応画像よりも大きく表示される。すなわち、強調メタデータ対応画像は、当該他のメタデータ対応画像よりも強調表示される。
【０２３６】
表示態様変化指数が“１００”の場合、強調メタデータ対応画像は、要求コンテンツ関連度“１００”に対応するメタデータ対応画像Ｇ３１０となる。したがって、メタデータ対応画像Ｇ３１０は、メタデータ対応画像Ｇ３２０，Ｇ３３０，Ｇ３４０よりも大きく表示される。すなわち、メタデータ対応画像Ｇ３１０は、メタデータ対応画像Ｇ３２０，Ｇ３３０，Ｇ３４０よりも強調表示される。
【０２３７】
その結果、強調表示されたメタデータ対応画像Ｇ３１０は、ユーザが認識しやすくなり、インターフェース操作Ｍにより容易に選択可能となるという効果を奏する。
【０２３８】
再び、図１６を参照して、ステップＳ２１０の処理の後、ステップＳ２１１に進む。
ステップＳ２１１では、制御部５１０が、関連コンテンツ取得操作があるか否かを判定する。関連コンテンツ取得操作とは、関連コンテンツ取得画像に表示される複数のメタデータ対応画像のいずれかを選択するためのインターフェース操作Ｍである。ここでは、関連コンテンツ取得画像は、関連コンテンツ取得画像Ｇ３００であるとする。この場合、関連コンテンツ取得操作は、メタデータ対応画像Ｇ３１０，Ｇ３２０，Ｇ３３０，Ｇ３４０のいずれかを選択するためのインターフェース操作Ｍとなる。ステップＳ２１１において、ＹＥＳならば、ステップＳ２１２に進む。一方、ステップＳ２１１において、ＮＯならば、後述するステップＳ２１６に進む。ここでは、関連コンテンツ取得操作があったとして、ステップＳ２１２に進む。
【０２３９】
なお、ここでは、メタデータ対応画像Ｇ３１０は、メタデータ対応画像Ｇ３２０，Ｇ３３０，Ｇ３４０よりも強調表示されている。その結果、強調表示されたメタデータ対応画像Ｇ３１０は、ユーザが認識しやすくなり、インターフェース操作Ｍにより容易に選択可能となるという効果を奏する。
【０２４０】
ステップＳ２１２では、関連コンテンツ取得処理が行なわれる。関連コンテンツ取得処理では、関連コンテンツ取得操作により選択されたメタデータ対応画像に関連付けられたＵＲＬ（以下、関連コンテンツ取得ＵＲＬともいう）により取得可能な関連コンテンツを取得する処理が行なわれる。
【０２４１】
ここで、関連コンテンツ取得画像は、関連コンテンツ取得画像Ｇ３００であるとする。また、関連コンテンツ取得操作により、一例として、メタデータ対応画像Ｇ３１０が選択されたとする。この場合、関連コンテンツ取得処理では、制御部５１０が、ネットワークとしてのインターネットにおいて、メタデータ対応画像Ｇ３１０に関連付けられたＵＲＬ（http://www.bb.ne.jp/tokuten.mpg）にアクセスし、関連コンテンツを取得する。この場合、関連コンテンツは、ファイル名が“tokuten.mpg”である動画像データであるとする。
【０２４２】
映像表示装置６００の表示部６３０で表示されている取得要求コンテンツが、たとえば、サッカーの試合の映像コンテンツである場合、取得した関連コンテンツは、取得要求コンテンツを視聴しているユーザのみがダウンロード可能な特典映像のコンテンツである。そして、制御部５１０は、取得した関連コンテンツ（以下、取得関連コンテンツともいう）を、記憶部５２０に記憶させる。
【０２４３】
また、関連コンテンツ取得操作により、一例として、メタデータ対応画像Ｇ３３０が選択されたとする。この場合、関連コンテンツ取得処理では、制御部５１０が、ネットワークとしてのインターネットにおいて、メタデータ対応画像Ｇ３３０に関連付けられたＵＲＬ（http://www.bb.ne.jp/player.html）にアクセスし、関連コンテンツを取得する。この場合、取得した関連コンテンツは、ＵＲＬ（http://www.bb.ne.jp/player.html）に対応するＷｅｂページデータである。
【０２４４】
映像表示装置６００の表示部６３０で表示されている取得要求コンテンツが、たとえば、サッカーの試合の映像コンテンツである場合、取得した関連コンテンツとしてのＷｅｂページデータは、たとえば、サッカーの試合に出場している選手の情報を表示したＷｅｂページのデータである。そして、制御部５１０は、取得した取得関連コンテンツを、記憶部５２０に記憶させる。その後、ステップＳ２１３に進む。
【０２４５】
前述したように、強調表示されたメタデータ対応画像Ｇ３１０は、ユーザが認識しやすくなり、インターフェース操作Ｍにより容易に選択可能となる。その結果、関連コンテンツ取得処理により、映像表示装置６００の表示部６３０で表示されている取得要求コンテンツに関連する関連コンテンツを容易に取得することができるという効果を奏する。すなわち、特定のコンテンツに関連するコンテンツを容易に取得することができるという効果を奏する。
【０２４６】
ステップＳ２１３では、関連コンテンツ表示処理が行なわれる。関連コンテンツ表示処理では、制御部５１０が、ＶＤＰ５３２を利用して、取得関連コンテンツを、表示部５３０に表示させる。その後、ステップＳ２１３の処理は終了する。
【０２４７】
取得関連コンテンツが、動画像のコンテンツである場合、表示部５３０には、取得関連コンテンツに基づく動画像が表示される。取得関連コンテンツが、Ｗｅｂページデータである場合、表示部５３０には、Ｗｅｂページ画像が表示される。ここで、取得関連コンテンツが、メタデータ対応画像Ｇ３３０に関連付けられたＵＲＬ（http://www.bb.ne.jp/player.html）にアクセスすることにより取得されたコンテンツである場合、表示部５３０に表示されるＷｅｂページ画像は、以下のＷｅｂページ画像ＭＧ３００となる。
【０２４８】
図１８は、一例としてのＷｅｂページ画像ＭＧ３００を示す図である。図１８を参照して、Ｗｅｂページ画像ＭＧ３００には、一例として、静止画像表示画像ＭＧ３１０と、情報表示画像ＭＧ３２０とが配置される。
【０２４９】
静止画像表示画像ＭＧ３１０は、静止画像が表示される。当該静止画像は、たとえば、サッカー選手の写真の画像である。情報表示画像ＭＧ３２０は、文章が表示される画像である。当該文章は、たとえが、サッカー選手のプロフィールの文章である。すなわち、通信端末装置５００は、情報としての取得関連コンテンツを表示する情報表示装置でもある。
【０２５０】
以上の処理により、映像表示装置６００の表示部６３０に表示されている取得要求コンテンツに基づくコンテンツ画像を視聴しながら、取得要求コンテンツに対して関連度の高い関連コンテンツを、容易に視聴または参照できるという効果を奏する。
【０２５１】
再び、図１６を参照して、ステップＳ２１３の処理の後、ステップＳ２１４に進む。
ステップＳ２１４では、制御部５１０が、終了操作があるか否かを判定する。終了操作は、表示処理を終了させるためのインターフェース操作Ｍである。ステップＳ２１４において、ＹＥＳならば、この表示処理は終了し、図１０の通信端末装置５００の処理に戻り、ステップＳ１１６の処理も終了し、通信端末装置５００における処理も終了する。一方、ステップＳ２１４において、ＮＯならば、再度、ステップＳ２１４の処理が行なわれる。
【０２５２】
前述のステップＳ２１１において、ＮＯならば、ステップＳ２１６に進む。
ステップＳ２１６では、制御部５１０が、表示態様変化指数変化操作があるか否かを判定する。ここで、表示態様変化指数変化操作とは、インターフェース操作ＭによるスライダーバーＳＧ３８２を移動させる操作である。ステップＳ２１６において、ＹＥＳならば、ステップＳ２１７に進む。一方、ステップＳ２１６において、ＮＯならば、後述するステップＳ２１９に進む。ここでは、表示態様変化指数変化操作があったとして、ステップＳ２１７に進む。
【０２５３】
ステップＳ２１７では、制御部５１０が、表示態様変化指数変化操作により、スライダーバーＳＧ３８２が配置されている位置に基づいて、表示態様変化指数の値を変化させる。スライダーバーＳＧ３８２が、表示態様変化指数変化操作により、たとえば、表示態様変化指数変更画像ＳＧ３８０内の“４０”という数字の上部にスライダーバーＳＧ３８２が配置されている場合、制御部５１０は、表示態様変化指数を“４０”に変化させる。その後、ステップＳ２１８に進む。
【０２５４】
ステップＳ２１８では、関連コンテンツ取得画像表示処理Ｎが行なわれる。関連コンテンツ取得画像表示処理Ｎでは、制御部５１０が、ＶＤＰ５３２を利用して、メタデータテーブルＤ２００Ａに含まれる複数のメタデータと、当該複数のメタデータの各々に含まれるメタデータ対応画像データと、変更された表示態様変化指数とを使用して、関連コンテンツ取得画像を生成し、生成した関連コンテンツ取得画像を、表示部５３０に表示する。そして、ステップＳ２１８の処理は終了する。
【０２５５】
なお、ステップＳ２１７の処理により、変更された表示態様変化指数は、一例として“４０”であるとする。この場合、関連コンテンツ取得画像は、以下の関連コンテンツ取得画像Ｇ３００Ｎとなる。なお、関連コンテンツ取得画像Ｇ３００Ｎは、一例として、メタデータテーブルＤ２００Ａに示される番号“１”〜“４”のメタデータと、番号“１”〜“４”のメタデータの各々に含まれるメタデータ対応画像データとを使用して生成される画像であるとする。
【０２５６】
図１９は、一例としての関連コンテンツ取得画像Ｇ３００Ｎを示す図である。図１９を参照して、関連コンテンツ取得画像Ｇ３００Ｎは、図１７の関連コンテンツ取得画像Ｇ３００と比較して、メタデータ対応画像Ｇ３１０，Ｇ３２０，Ｇ３３０，Ｇ３４０の代わりに、それぞれ、メタデータ対応画像Ｇ３１０Ｎ，Ｇ３２０Ｎ，Ｇ３３０Ｎ，Ｇ３４０Ｎが配置される点と、表示態様変化指数変更画像ＳＧ３８０の代わりに表示態様変化指数変更画像ＳＧ３８０Ｎが配置される点とが異なる。それ以外は、関連コンテンツ取得画像Ｇ３００と同様なので詳細な説明は繰り返さない。
【０２５７】
メタデータ対応画像Ｇ３１０Ｎ，Ｇ３２０Ｎ，Ｇ３３０Ｎ，Ｇ３４０Ｎは、それぞれ、メタデータ対応画像Ｇ３１０，Ｇ３２０，Ｇ３３０，Ｇ３４０と比較して、サイズが異なる点以外はメタデータ対応画像Ｇ３１０，Ｇ３２０，Ｇ３３０，Ｇ３４０と同様なので詳細な説明は繰り返さない。
【０２５８】
すなわち、メタデータ対応画像Ｇ３１０Ｎ，Ｇ３２０Ｎ，Ｇ３３０Ｎ，Ｇ３４０Ｎは、それぞれ、メタデータテーブルＤ２００Ａの番号“１”〜“４”のメタデータに対応する。すなわち、メタデータ対応画像Ｇ３１０Ｎ，Ｇ３２０Ｎ，Ｇ３３０Ｎ，Ｇ３４０Ｎの各々は、対応するメタデータの示す要求コンテンツ関連度に対応する。
【０２５９】
表示態様変化指数変更画像ＳＧ３８０Ｎは、表示態様変化指数変更画像ＳＧ３８０と比較して、スライダーバーＳＧ３８２が“４０”という数字の上部に配置される点が異なる。それ以外は、表示態様変化指数変更画像ＳＧ３８０と同様なので詳細な説明は繰り返さない。
【０２６０】
メタデータ対応画像Ｇ３１０Ｎ，Ｇ３２０Ｎ，Ｇ３３０Ｎ，Ｇ３４０Ｎの各々のサイズは、前述した式（１）により算出されるサイズである。なお、表示態様変化指数は“４０”であるとする。この場合、メタデータ対応画像Ｇ３１０Ｎに対応する要求コンテンツ関連度は”１００”である。したがって、式（１）より、Ｓは、１００−｜４０−１００｜より、“４０”となる。したがって、番号“１”のメタデータに対応するメタデータ対応画像Ｇ３１０Ｎのサイズは、番号“１”のメタデータに含まれるメタデータ対応画像データに基づく画像の縦および横ともに４０％のサイズとなる。
【０２６１】
また、メタデータ対応画像Ｇ３２０Ｎに対応する要求コンテンツ関連度は”４０”である。したがって、式（１）より、Ｓは、１００−｜４０−４０｜より、“１００”となる。したがって、番号“２”のメタデータに対応するメタデータ対応画像Ｇ３２０Ｎのサイズは、番号“２”のメタデータに含まれるメタデータ対応画像データに基づく画像の縦および横ともに１００％のサイズとなる。
【０２６２】
また、メタデータ対応画像Ｇ３３０Ｎに対応する要求コンテンツ関連度は”８０”である。したがって、式（１）より、Ｓは、１００−｜４０−８０｜より、“６０”となる。したがって、番号“３”のメタデータに対応するメタデータ対応画像Ｇ３３０Ｎのサイズは、番号“３”のメタデータに含まれるメタデータ対応画像データに基づく画像の縦および横ともに６０％のサイズとなる。
【０２６３】
また、メタデータ対応画像Ｇ３４０Ｎに対応する要求コンテンツ関連度は”２０”である。したがって、式（１）より、Ｓは、１００−｜４０−２０｜より、“８０”となる。したがって、番号“４”のメタデータに対応するメタデータ対応画像Ｇ３４０Ｎのサイズは、番号“４”のメタデータに含まれるメタデータ対応画像データに基づく画像の縦および横ともに８０％のサイズとなる。
【０２６４】
したがって、複数のメタデータ対応画像にそれぞれ対応する複数の要求コンテンツ関連度のうち、表示態様変化指数と一致する要求コンテンツ関連度または表示態様変化指数に最も近い要求コンテンツ関連度に対応するメタデータ対応画像（以下、強調メタデータ対応画像ともいう）が、他のメタデータ対応画像よりも大きく表示される。すなわち、強調メタデータ対応画像は、当該他のメタデータ対応画像よりも強調表示される。
【０２６５】
表示態様変化指数が“４０”の場合、強調メタデータ対応画像は、要求コンテンツ関連度“４０”に対応するメタデータ対応画像Ｇ３２０Ｎとなる。したがって、メタデータ対応画像Ｇ３２０Ｎは、メタデータ対応画像Ｇ３１０Ｎ，Ｇ３３０Ｎ，Ｇ３４０Ｎよりも大きく表示される。すなわち、メタデータ対応画像Ｇ３２０Ｎは、メタデータ対応画像Ｇ３１０Ｎ，Ｇ３３０Ｎ，Ｇ３４０Ｎよりも強調表示される。
【０２６６】
その結果、強調表示されたメタデータ対応画像Ｇ３２０Ｎは、ユーザが認識しやすくなり、インターフェース操作Ｍにより容易に選択可能となるという効果を奏する。
【０２６７】
再び、図１６を参照して、ステップＳ２１８の処理が終了すると、ステップＳ２１９に進む。
【０２６８】
ステップＳ２１９では、制御部５１０が、終了操作があるか否かを判定する。終了操作は、表示処理を終了させるためのインターフェース操作Ｍである。ステップＳ２１９において、ＹＥＳならば、この表示処理は終了し、図１０の通信端末装置５００の処理に戻り、ステップＳ１１６の処理も終了し、通信端末装置５００における処理も終了する。一方、ステップＳ２１９において、ＮＯならば、再度、ステップＳ２１１の処理が行なわれる。
【０２６９】
以上説明したように、本実施の形態によれば、映像表示装置６００の表示部６３０に表示されている取得要求コンテンツに関連する関連コンテンツを、取得するためのＵＲＬが関連付けられた複数のメタデータ対応画像が、通信端末装置５００の表示部５３０に表示される。表示部５３０に表示される複数のメタデータ対応画像の各々には、取得要求コンテンツと、関連コンテンツとの関連度である要求コンテンツ関連度が対応付けられる。すなわち、要求コンテンツ関連度は、特定のコンテンツとしての取得要求コンテンツに対する関連度である。
【０２７０】
複数のメタデータ対応画像にそれぞれ対応する複数の要求コンテンツ関連度のうち、複数のメタデータ対応画像の表示態様を変化させるための表示態様変化指数と一致する要求コンテンツ関連度または表示態様変化指数に最も近い要求コンテンツ関連度に対応する強調メタデータ対応画像が、他のメタデータ対応画像よりも大きく表示される。すなわち、強調メタデータ対応画像は、当該他のメタデータ対応画像よりも強調表示される。
【０２７１】
強調表示されたメタデータ対応画像は、ユーザが認識しやすくなり、インターフェース操作Ｍにより容易に選択可能となる。その結果、関連コンテンツ取得処理により、映像表示装置６００の表示部６３０で表示されている取得要求コンテンツに関連する関連コンテンツを容易に取得することができるという効果を奏する。すなわち、特定のコンテンツに関連するコンテンツを容易に取得することができるという効果を奏する。
【０２７２】
なお、取得された関連コンテンツは、通信端末装置５００の表示部５３０に表示される。したがって、映像表示装置６００の表示部６３０に表示されている取得要求コンテンツに基づくコンテンツ画像を視聴しながら、取得要求コンテンツと、関連度の高い関連コンテンツを、容易に視聴または参照できるという効果を奏する。
【０２７３】
また、表示態様変化指数を変更させることにより、強調表示されるメタデータ対応画像を変更することができる。したがって、様々なメタデータ対応画像を容易に選択可能となる。その結果、映像表示装置６００の表示部６３０で表示されている取得要求コンテンツに関連する多種多用な関連コンテンツを容易に取得することができるという効果を奏する。
【０２７４】
なお、本実施の形態では、スライダーバーＳＧ３８２の移動操作により表示態様変化指数が変化したが、表示態様変化指数は、他の方法により変更されてもよい。他の方法とは、たとえば、インターフェースＭにより、直接、表示態様変化指数を入力する方法である。
【０２７５】
なお、本実施の形態では、表示態様変化指数に応じて、強調メタデータ対応画像以外のメタデータ対応画像の表示態様も変化させたが、表示態様変化指数に応じて、強調メタデータ対応画像のみの表示態様を変化させてもよい。
【０２７６】
＜第１の実施の形態の変形例＞
第１の実施の形態では、メタデータ対応画像のサイズを変更することで、メタデータ対応画像を強調表示していた。本実施の形態では、メタデータ対応画像の強調表示の他の例について説明する。
【０２７７】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０２７８】
次に、映像表示装置６００が、サービスサーバ８００Ａからコンテンツを受信する処理（以下、コンテンツ取扱い処理Ａともいう）について説明する。なお、通信端末装置５００の表示部５３０には、図９のリモコン画像ＭＧ１００が表示されているとする。この場合、通信端末装置５００は、リモコンモードに設定されているとする。
【０２７９】
図２０は、コンテンツ取扱い処理Ａのフローチャートである。図２０では、通信端末装置５００、映像表示装置６００、サービスサーバ８００Ａの各々において行なわれる処理を示す。図２０を参照して、コンテンツ取扱い処理Ａは、図１０のコンテンツ取扱い処理と比較して、ステップＳ１１６の代わりにステップＳ１１６Ａが行なわれる点が異なる。それ以外は、コンテンツ取扱い処理と同様なので詳細な説明は繰り返さない。以下、第１の実施の形態のコンテンツ取扱い処理と異なる処理を、主に説明する。
【０２８０】
コンテンツ取扱い処理Ａにおいて、ステップＳ１１５の処理が行なわれるまでの通信端末装置５００、映像表示装置６００、サービスサーバ８００Ａの各々で行なわれる処理は、第１の実施の形態のコンテンツ取扱い処理と同様なので詳細な説明は繰り返さない。
【０２８１】
ステップＳ１１５の処理の後、ステップＳ１１６Ａに進む。
ステップＳ１１６Ａでは、表示処理Ａが行なわれる。
【０２８２】
図２１は、表示処理Ａのフローチャートである。図２１を参照して、表示処理Ａは、図１６の表示処理と比較して、ステップＳ２１０の代わりにステップＳ２１０Ａの処理が行なわれる点と、ステップＳ２１８の代わりにステップＳ２１８Ａの処理が行なわれる点とが異なる。それ以外は、表示処理と同様なので詳細な説明は繰り返さない。以下、第１の実施の形態の表示処理と異なる処理を、主に説明する。
【０２８３】
ステップＳ２１０Ａでは、関連コンテンツ取得画像表示処理Ａが行なわれる。関連コンテンツ取得画像表示処理Ａでは、制御部５１０が、ＶＤＰ５３２を利用して、図１５のメタデータテーブルＤ２００Ａに含まれる複数のメタデータと、当該複数のメタデータの各々に含まれるメタデータ対応画像データとを使用して、関連コンテンツ取得画像を生成し、生成した関連コンテンツ取得画像を、表示部５３０に表示する。そして、ステップＳ２１０Ａの処理は終了する。
【０２８４】
関連コンテンツ取得画像は、関連コンテンツを取得するための画像である。関連コンテンツ取得画像は、以下の関連コンテンツ取得画像Ｇ４００であるとする。なお、関連コンテンツ取得画像Ｇ４００は、一例として、メタデータテーブルＤ２００Ａに示される番号“１”〜“４”のメタデータと、番号“１”〜“４”のメタデータの各々に含まれるメタデータ対応画像データとを使用して生成される画像であるとする。
【０２８５】
図２２は、一例としての関連コンテンツ取得画像Ｇ４００を示す図である。図２２を参照して、関連コンテンツ取得画像Ｇ４００は、図１７の関連コンテンツ取得画像Ｇ３００と比較して、メタデータ対応画像Ｇ３１０，Ｇ３２０，Ｇ３３０，Ｇ３４０の代わりに、それぞれ、メタデータ対応画像Ｇ４１０，Ｇ４２０，Ｇ４３０，Ｇ４４０が配置される点が異なる。それ以外は、関連コンテンツ取得画像Ｇ３００と同様なので詳細な説明は繰り返さない。
【０２８６】
メタデータ対応画像Ｇ４１０は、メタデータ対応画像Ｇ３１０と同様なので詳細な説明は繰り返さない。メタデータ対応画像Ｇ４２０，Ｇ４３０，Ｇ４４０は、それぞれ、メタデータ対応画像Ｇ３２０，Ｇ３３０，Ｇ３４０と比較して、サイズおよび表示濃度が異なる以外は、メタデータ対応画像Ｇ３２０，Ｇ３３０，Ｇ３４０と同様なので詳細な説明は繰り返さない。メタデータ対応画像Ｇ４２０，Ｇ４３０，Ｇ４４０の各々のサイズは、メタデータ対応画像Ｇ４１０と同じサイズである。
【０２８７】
表示態様変化指数変更画像ＳＧ３８０は、図１７の表示態様変化指数変更画像ＳＧ３８０と同様なので詳細な説明は繰り返さない。
【０２８８】
メタデータ対応画像Ｇ４１０，Ｇ４２０，Ｇ４３０，Ｇ４４０は、それぞれ、メタデータテーブルＤ２００Ａの番号“１”〜“４”のメタデータに含まれるメタデータ対応画像データに基づく画像である。すなわち、メタデータ対応画像Ｇ４１０，Ｇ４２０，Ｇ４３０，Ｇ４４０は、それぞれ、メタデータテーブルＤ２００Ａの番号“１”〜“４”のメタデータに対応する。すなわち、メタデータ対応画像Ｇ４１０，Ｇ４２０，Ｇ４３０，Ｇ４４０の各々は、対応するメタデータの示す要求コンテンツ関連度に対応する。
【０２８９】
なお、表示態様変化指数の初期値は“１００”であるとする。この場合、表示態様変化指数“１００”と一致する要求コンテンツ関連度のメタデータは、番号“１”のメタデータである。なお、関連コンテンツ取得画像に配置されるメタデータ対応画像の表示濃度は、一例として、番号“ｎ（自然数）”のメタデータに含まれるメタデータ対応画像データに基づく画像に対し、Ｓ（自然数）％の表示濃度とする。Ｓは、前述の式（１）により算出されるので詳細な説明は繰り返さない。
【０２９０】
ここで、Ｓ％の表示濃度とは、対応する画像の透過率が（１００−Ｓ）％であることを示す。透過率とは、背景画像を透過して表示する割合を示す。たとえば、ある画像が５０％の表示濃度である場合、当該画像は５０％の透過率となり、当該画像の背景画像を５０％の割合で透過させて表示する。また、ある画像が０％の表示濃度である場合、当該画像は１００％の透過率となり、当該画像は表示されず、当該画像の背景画像のみが表示されることになる。
【０２９１】
本実施の形態において、以下においては、メタデータテーブルＤ２００Ａの番号“ｍ（自然数）”のメタデータを、単に、番号“ｍ”のメタデータともいう。たとえば、メタデータテーブルＤ２００Ａの番号“２”のメタデータは、単に、番号“２”のメタデータともいう。
【０２９２】
表示態様変化指数が“１００”である場合、番号“１”のメタデータが示す要求コンテンツ関連度は“１００”なので、式（１）に代入すると、Ｓは、１００−｜１００−１００｜より、“１００”となる。
【０２９３】
したがって、番号“１”のメタデータに対応するメタデータ対応画像Ｇ４１０の表示濃度は、番号“１”のメタデータに含まれるメタデータ対応画像データに基づく画像に対し１００％の表示濃度となる。この場合、メタデータ対応画像Ｇ４１０の背景画像は表示されないことになる。
【０２９４】
また、表示態様変化指数が“１００”である場合、番号“２”のメタデータが示す要求コンテンツ関連度は“４０”なので、第１の実施の形態と同様、式（１）より、Ｓは“４０”となる。したがって、番号“２”のメタデータに対応するメタデータ対応画像Ｇ４２０の表示濃度は、番号“２”のメタデータに含まれるメタデータ対応画像データに基づく画像の４０％の表示濃度となる。この場合、メタデータ対応画像Ｇ４２０の透過率は、６０％となり、メタデータ対応画像Ｇ４２０の背景画像を６０％の割合で透過させて表示する。番号“３”，“４”のメタデータにそれぞれ対応するメタデータ対応画像Ｇ４３０，Ｇ４４０の表示濃度も、上記計算により決定される。なお、表示態様変化指数の初期値は“１００”でなくてもよい。
【０２９５】
したがって、複数のメタデータ対応画像にそれぞれ対応する複数の要求コンテンツ関連度のうち、表示態様変化指数と一致する要求コンテンツ関連度または表示態様変化指数に最も近い要求コンテンツ関連度に対応するメタデータ対応画像（以下、強調メタデータ対応画像ともいう）が、他のメタデータ対応画像よりも濃い表示濃度で表示される。すなわち、強調メタデータ対応画像は、当該他のメタデータ対応画像よりも強調表示される。
【０２９６】
本実施の形態では、表示態様変化指数が“１００”の場合、強調メタデータ対応画像は、要求コンテンツ関連度“１００”に対応するメタデータ対応画像Ｇ４１０となる。したがって、メタデータ対応画像Ｇ４１０は、メタデータ対応画像Ｇ４２０，Ｇ４３０，Ｇ４４０よりも濃い表示濃度で表示される。すなわち、メタデータ対応画像Ｇ４１０は、メタデータ対応画像Ｇ４２０，Ｇ４３０，Ｇ４４０よりも強調表示される。
【０２９７】
その結果、強調表示されたメタデータ対応画像Ｇ４１０は、ユーザが認識しやすくなり、インターフェース操作Ｍにより容易に選択可能となるという効果を奏する。
【０２９８】
再び、図２１を参照して、ステップＳ２１８Ａでは、関連コンテンツ取得画像表示処理ＮＡが行なわれる。関連コンテンツ取得画像表示処理ＮＡでは、制御部５１０が、ＶＤＰ５３２を利用して、メタデータテーブルＤ２００Ａに含まれる複数のメタデータと、当該複数のメタデータの各々に含まれるメタデータ対応画像データと、変更された表示態様変化指数とを使用して、関連コンテンツ取得画像を生成し、生成した関連コンテンツ取得画像を、表示部５３０に表示する。そして、ステップＳ２１８Ａの処理は終了する。
【０２９９】
なお、ステップＳ２１７の処理により、変更された表示態様変化指数は、一例として“４０”であるとする。この場合、関連コンテンツ取得画像は、以下の関連コンテンツ取得画像Ｇ４００Ｎとなる。なお、関連コンテンツ取得画像Ｇ４００Ｎは、一例として、メタデータテーブルＤ２００Ａに示される番号“１”〜“４”のメタデータと、番号“１”〜“４”のメタデータの各々に含まれるメタデータ対応画像データとを使用して生成される画像であるとする。
【０３００】
図２３は、一例としての関連コンテンツ取得画像Ｇ４００Ｎを示す図である。図２３を参照して、関連コンテンツ取得画像Ｇ４００Ｎは、図２２の関連コンテンツ取得画像Ｇ４００と比較して、メタデータ対応画像Ｇ４１０，Ｇ４２０，Ｇ４３０，Ｇ４４０の代わりに、それぞれ、メタデータ対応画像Ｇ４１０Ｎ，Ｇ４２０Ｎ，Ｇ４３０Ｎ，Ｇ４４０Ｎが配置される点と、表示態様変化指数変更画像ＳＧ３８０の代わりに表示態様変化指数変更画像ＳＧ３８０Ｎが配置される点とが異なる。それ以外は、関連コンテンツ取得画像Ｇ４００と同様なので詳細な説明は繰り返さない。
【０３０１】
メタデータ対応画像Ｇ４１０Ｎ，Ｇ４２０Ｎ，Ｇ４３０Ｎ，Ｇ４４０Ｎは、それぞれ、メタデータ対応画像Ｇ４１０，Ｇ４２０，Ｇ４３０，Ｇ４４０と比較して、表示濃度が異なる点以外はメタデータ対応画像Ｇ４１０，Ｇ４２０，Ｇ４３０，Ｇ４４０と同様なので詳細な説明は繰り返さない。
【０３０２】
すなわち、メタデータ対応画像Ｇ４１０Ｎ，Ｇ４２０Ｎ，Ｇ４３０Ｎ，Ｇ４４０Ｎは、それぞれ、メタデータテーブルＤ２００Ａの番号“１”〜“４”のメタデータに対応する。すなわち、メタデータ対応画像Ｇ４１０Ｎ，Ｇ４２０Ｎ，Ｇ４３０Ｎ，Ｇ４４０Ｎの各々は、対応するメタデータの示す要求コンテンツ関連度に対応する。
【０３０３】
表示態様変化指数変更画像ＳＧ３８０Ｎは、図１９の表示態様変化指数変更画像ＳＧ３８０Ｎと同様なので詳細な説明は繰り返さない。
【０３０４】
メタデータ対応画像Ｇ４１０Ｎ，Ｇ４２０Ｎ，Ｇ４３０Ｎ，Ｇ４４０Ｎの各々の表示濃度は、前述した式（１）により算出される表示濃度である。なお、表示態様変化指数は“４０”であるとする。この場合、メタデータ対応画像Ｇ４１０Ｎに対応する要求コンテンツ関連度は”１００”である。したがって、式（１）より、Ｓは、１００−｜４０−１００｜より、“４０”となる。したがって、番号“１”のメタデータに対応するメタデータ対応画像Ｇ３１０Ｎの表示濃度は、番号“１”のメタデータに含まれるメタデータ対応画像データに基づく画像に対し、４０％の表示濃度となる。
【０３０５】
また、メタデータ対応画像Ｇ４２０Ｎに対応する要求コンテンツ関連度は”４０”である。したがって、式（１）より、Ｓは、１００−｜４０−４０｜より、“１００”となる。したがって、番号“２”のメタデータに対応するメタデータ対応画像Ｇ３２０Ｎの表示濃度は、番号“２”のメタデータに含まれるメタデータ対応画像データに基づく画像に対し、１００％の表示濃度となる。
【０３０６】
また、メタデータ対応画像Ｇ４３０Ｎに対応する要求コンテンツ関連度は”８０”である。したがって、式（１）より、Ｓは、１００−｜４０−８０｜より、“６０”となる。したがって、番号“３”のメタデータに対応するメタデータ対応画像Ｇ４３０Ｎの表示濃度は、番号“３”のメタデータに含まれるメタデータ対応画像データに基づく画像に対し、６０％の表示濃度となる。
【０３０７】
また、メタデータ対応画像Ｇ４４０Ｎに対応する要求コンテンツ関連度は”２０”である。したがって、式（１）より、Ｓは、１００−｜４０−２０｜より、“８０”となる。したがって、番号“４”のメタデータに対応するメタデータ対応画像Ｇ４４０Ｎの表示濃度は、番号“４”のメタデータに含まれるメタデータ対応画像データに基づく画像に対し、８０％の表示濃度となる。
【０３０８】
したがって、複数のメタデータ対応画像にそれぞれ対応する複数の要求コンテンツ関連度のうち、表示態様変化指数と一致する要求コンテンツ関連度または表示態様変化指数に最も近い要求コンテンツ関連度に対応するメタデータ対応画像（以下、強調メタデータ対応画像ともいう）が、他のメタデータ対応画像よりも濃い表示濃度で表示される。すなわち、強調メタデータ対応画像は、当該他のメタデータ対応画像よりも強調表示される。
【０３０９】
本実施の形態では、表示態様変化指数が“４０”の場合、強調メタデータ対応画像は、要求コンテンツ関連度“４０”に対応するメタデータ対応画像Ｇ４２０Ｎとなる。したがって、メタデータ対応画像Ｇ４２０Ｎは、メタデータ対応画像Ｇ４１０Ｎ，Ｇ４３０Ｎ，Ｇ４４０Ｎよりも濃い表示濃度で表示される。すなわち、メタデータ対応画像Ｇ４２０Ｎは、メタデータ対応画像Ｇ４１０Ｎ，Ｇ４３０Ｎ，Ｇ４４０Ｎよりも強調表示される。
【０３１０】
その結果、強調表示されたメタデータ対応画像Ｇ４２０Ｎは、ユーザが認識しやすくなり、インターフェース操作Ｍにより容易に選択可能となるという効果を奏する。
【０３１１】
以上説明したように、本実施の形態によれば、表示濃度により、メタデータ対応画像を強調表示する。したがって、本実施の形態においても、第１の実施の形態と同様な効果を奏する。すなわち、特定のコンテンツに関連するコンテンツを容易に取得することができるという効果を奏する。
【０３１２】
なお、メタデータ対応画像の強調表示は、第１の実施の形態および第１の実施の形態の変形例で記載した方法に限定されない。たとえば、メタデータ対応画像を強調表示する方法の他の例としては、前述の式（１）により算出されるＳの値が大きいメタデータ対応画像程、関連コンテンツ取得画像内の中央に表示するという方法も考えられる。
【０３１３】
＜第２の実施の形態＞
本実施の形態では、映像表示装置６００の表示部６３０に表示されているコンテンツに関連する情報を取得する、他の処理について説明する。
【０３１４】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０３１５】
次に、映像表示装置６００が、サービスサーバ８００Ａからコンテンツを受信する処理（以下、コンテンツ取扱い処理Ｂともいう）について説明する。なお、通信端末装置５００の表示部５３０には、図９のリモコン画像ＭＧ１００が表示されているとする。この場合、通信端末装置５００は、リモコンモードに設定されているとする。
【０３１６】
図２４は、コンテンツ取扱い処理Ｂのフローチャートである。図２４では、通信端末装置５００、映像表示装置６００、サービスサーバ８００Ａの各々において行なわれる処理を示す。図２４を参照して、コンテンツ取扱い処理Ｂは、図１０のコンテンツ取扱い処理と比較して、ステップＳ１１６の代わりにステップＳ１１６Ｂが行なわれる点と、ステップＳ１２６Ｂの処理がさらに行なわれる点とが異なる。それ以外は、コンテンツ取扱い処理と同様なので詳細な説明は繰り返さない。以下、第１の実施の形態のコンテンツ取扱い処理と異なる処理を、主に説明する。
【０３１７】
コンテンツ取扱い処理Ｂにおいて、ステップＳ１１５の処理が行なわれるまでの通信端末装置５００、映像表示装置６００、サービスサーバ８００Ａの各々で行なわれる処理は、ステップＳ１２５の処理の後、ステップＳ１２６Ｂの処理が行なわれる点以外は、第１の実施の形態のコンテンツ取扱い処理と同様なので詳細な説明は繰り返さない。
【０３１８】
ステップＳ１２６Ｂでは、コンテンツ取得対応処理が行なわれる。
また、ステップＳ１１５の処理の後、ステップＳ１１６Ｂに進む。
【０３１９】
ステップＳ１１６Ｂでは、表示処理Ｂが行なわれる。
図２５は、表示処理Ｂおよびコンテンツ取得対応処理のフローチャートである。図２５を参照して、表示処理Ｂは、図１６の表示処理と比較して、ステップＳ２１２の代わりにステップＳ２１２Ｂが行なわれる点と、ステップＳ２１３，Ｓ２１４が行なわれない点とが異なる。それ以外は、表示処理と同様なので詳細な説明は繰り返さない。以下、第１の実施の形態の表示処理と異なる処理を、主に説明する。
【０３２０】
ステップＳ２１０では、第１の実施の形態と同様な処理が行なわれるので詳細な説明は繰り返さない。この処理により、表示部５３０には、図１７の関連コンテンツ取得画像Ｇ３００が表示される。その後、ステップＳ２１１の処理が第１の実施の形態と同様に行なわれる。
【０３２１】
ステップＳ２１１では、関連コンテンツ取得操作があったとして、ステップＳ２１２Ｂに進む。
【０３２２】
ステップＳ２１２Ｂでは、制御部５１０が、関連コンテンツを取得するための取得情報としての関連コンテンツ取得ＵＲＬを、映像表示装置６００へ送信する。関連コンテンツ取得ＵＲＬは、前述したように、関連コンテンツ取得操作により選択されたメタデータ対応画像に関連付けられたＵＲＬである。その後、この表示処理Ｂは終了し、図２４の通信端末装置５００の処理に戻り、ステップＳ１１６Ｂの処理が終了し、再度、ステップＳ１１４の処理が行なわれる。
【０３２３】
ここで、関連コンテンツ取得画像は、関連コンテンツ取得画像Ｇ３００であるとする。また、関連コンテンツ取得操作により、一例として、メタデータ対応画像Ｇ３１０が選択されたとする。この場合、送信される関連コンテンツ取得ＵＲＬは、図１５のメタデータテーブルＤ２００Ａにより、“http://www.bb.ne.jp/tokuten.mpg”となる。
【０３２４】
また、関連コンテンツ取得操作により、一例として、メタデータ対応画像Ｇ３３０が選択されたとする。この場合、送信される関連コンテンツ取得ＵＲＬは、図１５のメタデータテーブルＤ２００Ａにより、“http://www.bb.ne.jp/player.html”となる。
【０３２５】
映像表示装置６００が行なうコンテンツ取得対応処理では、まず、ステップＳ２２０の処理が行なわれる。
【０３２６】
ステップＳ２２０では、制御部６１０が、取得情報としての関連コンテンツ取得ＵＲＬを受信したか否かを判定する。ステップＳ２２０において、ＹＥＳならば、ステップＳ２２２に進む。一方、ステップＳ２２０において、ＮＯならば、再度、ステップＳ２２０の処理が行なわれる。ここでは、関連コンテンツ取得ＵＲＬを受信したとして、ステップＳ２２２に進む。
【０３２７】
ステップＳ２２２では、関連コンテンツ取得処理が行なわれる。関連コンテンツ取得処理では、受信した関連コンテンツ取得ＵＲＬにより取得可能な関連コンテンツを取得する処理が行なわれる。なお、取得する関連コンテンツには、前述の取得要求コンテンツと同様に、メタデータテーブルが含まれる。メタデータテーブルは、関連コンテンツに関連するコンテンツを取得するための複数のメタデータを含む。関連コンテンツに含まれるメタデータテーブルは、前述の図１４のメタデータテーブルＤ２００の説明において、取得要求コンテンツを関連コンテンツと置き換えた説明と同様であるので詳細な説明は繰り返さない。
【０３２８】
ここで、関連コンテンツ取得ＵＲＬは“http://www.bb.ne.jp/tokuten.mpg”であるとする。この場合、制御部６１０が、ネットワークとしてのインターネットにおいて、関連コンテンツ取得ＵＲＬ（http://www.bb.ne.jp/tokuten.mpg）にアクセスし、関連コンテンツを取得する。この場合、関連コンテンツは、ファイル名が“tokuten.mpg”である動画像データであるとする。
【０３２９】
映像表示装置６００の表示部６３０で表示されている取得要求コンテンツが、たとえば、サッカーの試合の映像コンテンツである場合、取得した関連コンテンツは、取得要求コンテンツを視聴しているユーザのみがダウンロード可能な特典映像のコンテンツである。そして、制御部６１０は、取得した関連コンテンツ（以下、取得関連コンテンツともいう）を、記憶部６２０に記憶させる。
【０３３０】
また、関連コンテンツ取得ＵＲＬが“http://www.bb.ne.jp/player.html”である場合、制御部６１０が、ネットワークとしてのインターネットにおいて、関連コンテンツ取得ＵＲＬ（http://www.bb.ne.jp/player.html）にアクセスし、関連コンテンツを取得する。この場合、関連コンテンツは、関連コンテンツ取得ＵＲＬ（http://www.bb.ne.jp/player.html）に対応するＷｅｂページデータである。
【０３３１】
映像表示装置６００の表示部６３０で表示されている取得要求コンテンツが、たとえば、サッカーの試合の映像コンテンツである場合、取得した関連コンテンツとしてのＷｅｂページデータは、たとえば、サッカーの試合に出場している選手の情報を表示したＷｅｂページのデータである。そして、制御部６１０は、取得した取得関連コンテンツを、記憶部６２０に記憶させる。その後、ステップＳ２２３に進む。
【０３３２】
ステップＳ２２３では、関連コンテンツ表示処理が行なわれる。関連コンテンツ表示処理では、制御部６１０が、ＶＤＰ６３２を利用して、取得関連コンテンツを、表示部６３０に表示させる。その後、このコンテンツ取得対応処理は終了し、図２４の映像表示装置６００の処理に戻り、ステップＳ１２６Ｂの処理は終了し、再度、ステップＳ１２５の処理が行なわれる。
【０３３３】
取得関連コンテンツが、動画像のコンテンツである場合、表示部６３０には、取得関連コンテンツに基づく動画像が表示される。取得関連コンテンツが、Ｗｅｂページデータである場合、表示部６３０には、Ｗｅｂページ画像が表示される。ここで、取得関連コンテンツが、関連コンテンツ取得ＵＲＬ（http://www.bb.ne.jp/player.html）にアクセスすることにより取得されたコンテンツである場合、表示部６３０に表示されるＷｅｂページ画像は、たとえば、サッカーの試合に出場している選手の情報が表示されたＷｅｂページ画像となる。以下においては、取得関連コンテンツは、ネットワークとしてのインターネットに取得要求したコンテンツであるので、取得要求コンテンツともいう。
【０３３４】
再び、図２４を参照して、ステップＳ１２５では、制御部６１０が、取得関連コンテンツ（取得要求コンテンツ）に含まれるメタデータテーブルを、通信端末装置５００へ送信する。その後、前述したステップＳ１２６Ｂの処理が行なわれる。
【０３３５】
通信端末装置５００では、第１の実施の形態と同様、ステップＳ１１４，Ｓ１１５の処理が行なわれる。そして、前述したステップＳ１１６Ｂが行なわれる。
【０３３６】
そして、前述したように、表示処理Ｂおよびコンテンツ取得対応処理が行なわれる。通信端末装置５００では、ステップＳ２１０の処理により、取得要求コンテンツとしての取得関連コンテンツに関連するコンテンツを取得するための関連コンテンツ取得画像が表示部５３０に表示される。そして、関連コンテンツ取得操作があった場合（Ｓ２１１でＹＥＳ）、ステップＳ２１２Ｂの処理により、関連コンテンツ取得ＵＲＬが映像表示装置６００へ送信され、前述したステップＳ２２２，Ｓ２２３の処理が行なわれる。
【０３３７】
すなわち、表示処理Ｂおよびコンテンツ取得対応処理が繰り返されることにより、関連コンテンツに関連するコンテンツが取得され、取得されたコンテンツが表示部６３０に表示され、さらに、取得されたコンテンツに関連するコンテンツが取得され、取得されたコンテンツが表示部６３０に表示されるという処理が繰り返される。
【０３３８】
以上説明したように、本実施の形態のように、関連コンテンツを、映像表示装置６００で取得し、関連コンテンツを表示部６３０に表示する処理を行なう場合においても、第１の実施の形態と同様な効果を奏する。また、本実施の形態では、さらに、表示処理Ｂおよびコンテンツ取得対応処理が繰り返されることにより、取得したコンテンツに関連するコンテンツを繰り返し取得および参照することができる。すなわち、多種多用なコンテンツを取得および参照することができるという効果を奏する。
【０３３９】
また、本実施の形態では、メタデータ対応画像の強調表示は、第１の実施の形態と同様、メタデータ対応画像のサイズにより行なっていた。しかしながら、本実施の形態では、メタデータ対応画像の強調表示は、第１の実施の形態の変形例と同様、表示濃度により、行なわれてもよい。
【０３４０】
なお、メタデータ対応画像の強調表示は、第１の実施の形態および第１の実施の形態の変形例で記載した方法に限定されない。たとえば、メタデータ対応画像を強調表示する方法の他の例としては、前述の式（１）により算出されるＳの値が大きいメタデータ対応画像程、関連コンテンツ取得画像内の中央に表示するという方法も考えられる。
【０３４１】
なお、本発明においては、メタデータテーブルは、映像表示装置６００が受信するコンテンツに含まれるものとしたが、メタデータテーブルは、受信するコンテンツに含まれていなくてもよい。この場合、通信端末装置５００は、当該コンテンツに対応するメタデータテーブルを、ネットワーク経由で受信してもよいし、放送電波として受信してもよい。また、映像表示装置６００は、コンテンツを、放送電波として受信し、通信端末装置５００は、当該コンテンツに対応するメタデータテーブルを、ネットワーク経由で受信してもよい。
【０３４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３４３】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】サービスサーバの内部構成を示したブロック図である。
【図９】一例としてのリモコン画像を示す図である。
【図１０】コンテンツ取扱い処理のフローチャートである。
【図１１】一例としてのリストデータを示す図である。
【図１２】一例としてのリスト画像を示す図である。
【図１３】一例としてのリスト画像を示す図である。
【図１４】一例としてのメタデータテーブルを示す図である。
【図１５】一例としてのメタデータテーブルを示す図である。
【図１６】表示処理のフローチャートである。
【図１７】一例としての関連コンテンツ取得画像を示す図である。
【図１８】一例としてのＷｅｂページ画像を示す図である。
【図１９】一例としての関連コンテンツ取得画像を示す図である。
【図２０】コンテンツ取扱い処理Ａのフローチャートである。
【図２１】表示処理Ａのフローチャートである。
【図２２】一例としての関連コンテンツ取得画像を示す図である。
【図２３】一例としての関連コンテンツ取得画像を示す図である。
【図２４】コンテンツ取扱い処理Ｂのフローチャートである。
【図２５】表示処理Ｂおよびコンテンツ取得対応処理のフローチャートである。
【符号の説明】
【０３４４】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008035063.tif 000003
【図２】
2008035063.tif 000004
【図３】
2008035063.tif 000005
【図４】
2008035063.tif 000006
【図５】
2008035063.tif 000007
【図６】
2008035063.tif 000008
【図７】
2008035063.tif 000009
【図８】
2008035063.tif 000010
【図９】
2008035063.tif 000011
【図１０】
2008035063.tif 000012
【図１１】
2008035063.tif 000013
【図１２】
2008035063.tif 000014
【図１３】
2008035063.tif 000015
【図１４】
2008035063.tif 000016
【図１５】
2008035063.tif 000017
【図１６】
2008035063.tif 000018
【図１７】
2008035063.tif 000019
【図１８】
2008035063.tif 000020
【図１９】
2008035063.tif 000021
【図２０】
2008035063.tif 000022
【図２１】
2008035063.tif 000023
【図２２】
2008035063.tif 000024
【図２３】
2008035063.tif 000025
【図２４】
2008035063.tif 000026
【図２５】
2008035063.tif 000027